(57)【特許請求の範囲】
【請求項１】
暖房用熱交換器を加熱する暖房用加熱装置と、
給湯用熱交換器を加熱する給湯用加熱装置と、
前記暖房用加熱装置と前記給湯用加熱装置の発熱量を制御する共通の発熱量制御手段と、
暖房用熱媒を前記暖房用熱交換器と暖房端末機とに亘る循環経路にて循環させる循環手段とが設けられ、
前記発熱量制御手段は、前記暖房用熱交換器と前記給湯用熱交換器を同時に加熱するときは、前記給湯用熱交換器による給湯温度が目標給湯温度になるように、前記暖房用加熱装置と前記給湯用加熱装置の発熱量を制御するように構成されている給湯暖房装置であって、
前記暖房用熱交換器と前記給湯用熱交換器が同時に加熱されている状態で、暖房用熱媒の温度が所定温度よりも高いときは、その暖房用熱媒の暖房端末機における単位時間当たり放熱量を暖房用熱媒の温度が所定温度のときよりも増大させ、暖房用熱媒の温度が所定温度よりも低いときは、その暖房用熱媒の暖房端末機における単位時間当たり放熱量を暖房用熱媒の温度が所定温度のときよりも減少させるように、前記暖房端末機への暖房用熱媒の供給状態を調節する調節手段が設けられている給湯暖房装置。
【請求項２】
前記調節手段が、
暖房用熱媒の温度が所定温度よりも高いときは、前記循環経路における単位時間当たり暖房用熱媒循環量を暖房用熱媒の温度が所定温度のときよりも増大させ、暖房用熱媒の温度が所定温度よりも低いときは、前記循環経路における単位時間当たり暖房用熱媒循環量を暖房用熱媒の温度が所定温度のときよりも減少させて、前記暖房端末機への暖房用熱媒の供給状態を調節するように構成されている請求項１記載の給湯暖房装置。
【請求項３】
前記調節手段が、
前記暖房用熱交換器から前記暖房端末機への前記循環経路を分岐して、暖房用熱媒の一部を前記暖房端末機を通過させずに前記暖房用熱交換器に還流させる還流路を設け、
暖房用熱媒の温度が所定温度よりも高いときは、前記還流路に流入する暖房用熱媒の流量を暖房用熱媒の温度が所定温度のときよりも減少させ、暖房用熱媒の温度が所定温度よりも低いときは、前記還流路に流入する暖房用熱媒の流量を暖房用熱媒の温度が所定温度のときよりも増大させて、前記暖房端末機への暖房用熱媒の供給状態を調節するように構成されている請求項１記載の給湯暖房装置。
【請求項４】
前記調節手段が、
前記還流路に流入する暖房用熱媒の流量を暖房用熱媒の温度が所定温度のときよりも減少させると、前記暖房用熱交換器を通過する暖房用熱媒の流量を所定温度の暖房用熱媒が供給されるときよりも増大させ、
前記還流路に流入する暖房用熱媒の流量を暖房用熱媒の温度が所定温度のときよりも増大させると、前記暖房用熱交換器を通過する暖房用熱媒の流量を所定温度の暖房用熱媒が供給されるときよりも減少させるように構成されている請求項３記載の暖房装置の熱媒温度制御装置。
【発明の詳細な説明】
【０００１】
【発明の属する技術分野】
本発明は、暖房用熱交換器を加熱する暖房用加熱装置と、給湯用熱交換器を加熱する給湯用加熱装置と、前記暖房用加熱装置と前記給湯用加熱装置の発熱量を制御する共通の発熱量制御手段と、暖房用熱媒を前記暖房用熱交換器と暖房端末機とに亘る循環経路にて循環させる循環手段とが設けられ、前記発熱量制御手段は、前記暖房用熱交換器と前記給湯用熱交換器を同時に加熱するときは、前記給湯用熱交換器による給湯温度が目標給湯温度になるように、前記暖房用加熱装置と前記給湯用加熱装置の発熱量を制御するように構成されている給湯暖房装置に関する。
【０００２】
【従来の技術】
冒記給湯暖房装置は、暖房用加熱装置と給湯用加熱装置の発熱量を共通の発熱量制御手段で制御するので、その制御構成を簡略化できる利点があるが、暖房用熱交換器と給湯用熱交換器を同時に加熱するときは、給湯用熱交換器による給湯温度が目標給湯温度になるように、暖房用加熱装置と給湯用加熱装置の発熱量を制御するので、暖房用熱交換器が目標給湯温度に応じた発熱量で加熱される結果、その目標給湯温度に応じた成り行き温度の暖房用熱媒が暖房用熱交換器と暖房端末機とに亘って循環している。
【０００３】
【発明が解決しようとする課題】
この為、暖房用熱交換器と給湯用熱交換器が同時に加熱されているときは、その循環路及び暖房端末機を適正に使用できる所定温度から外れた温度の暖房用熱媒が循環するおそれがあり、暖房用熱媒の温度がその所定温度よりも低い場合は、暖房端末機における放熱効率の低下を招き易く、暖房用熱媒の温度がその所定温度よりも高い場合は、循環路及び暖房端末機の破損を招き易いとともに、例えば暖房端末機が床暖房装置である場合は、床面の温度が高くなり過ぎる欠点がある。
また、循環路を循環する暖房用熱媒の温度が所定温度を越えると暖房用加熱装置の運転を停止させるように構成してある場合、暖房負荷が小さい状態で高い温度の暖房用熱媒が循環すると、暖房端末機における暖房用熱媒の温度低下が少ないので、暖房用加熱装置の運転停止動作と運転開始動作が頻繁に繰り返されるおそれがある。
本発明は上記実情に鑑みてなされたものであって、暖房用熱媒の循環構成を工夫することにより、暖房用熱交換器と給湯用熱交換器が同時に加熱されているときでも、適正な温度の暖房用熱媒を循環させ易くすることを目的とする。
【０００４】
【課題を解決するための手段】
請求項１記載の給湯暖房装置は、
暖房用熱交換器と給湯用熱交換器が同時に加熱されている状態で、暖房用熱媒の温度が所定温度よりも高いときは、その暖房用熱媒の暖房端末機における単位時間当たり放熱量を暖房用熱媒の温度が所定温度のときよりも増大させ、暖房用熱媒の温度が所定温度よりも低いときは、その暖房用熱媒の暖房端末機における単位時間当たり放熱量を暖房用熱媒の温度が所定温度のときよりも減少させるように、暖房端末機への暖房用熱媒の供給状態を調節する調節手段が設けられているので、暖房用熱媒の温度が所定温度よりも高いときは、暖房用熱交換器に戻る暖房用熱媒の温度低下を図り易く、暖房用熱媒の温度が所定温度よりも低いときは、暖房用熱交換器に戻る暖房用熱媒の温度低下を抑制できる。
従って、暖房端末機における暖房用熱媒の単位時間当たり放熱量の調節によって、暖房用熱媒の所定温度を越えた上昇や暖房用熱媒の所定温度を下回る低下を抑制することができ、暖房用熱交換器と給湯用熱交換器が同時に加熱されているときでも、適正な温度の暖房用熱媒を循環させ易い。
【０００５】
請求項２記載の給湯暖房装置は、
調節手段が、
暖房用熱媒の温度が所定温度よりも高いときは、循環経路における単位時間当たり暖房用熱媒循環量を暖房用熱媒の温度が所定温度のときよりも増大させて、暖房用熱交換器を通過する前後の暖房用熱媒の温度上昇を少なくしながら、暖房端末機における暖房用熱媒を、放熱を促進し易い高い温度状態に維持し、暖房用熱媒の温度が所定温度よりも低いときは、循環経路における単位時間当たり暖房用熱媒循環量を暖房用熱媒の温度が所定温度のときよりも減少させて、暖房用熱交換器を通過する前後の暖房用熱媒の温度上昇を多くしながら、暖房端末機における暖房用熱媒を、放熱を抑制し易い低い温度状態に維持して、暖房端末機への暖房用熱媒の供給状態を調節するように構成されているので、暖房用熱媒の循環経路の配置を格別変更することなく簡便に、暖房用熱媒の所定温度を越えた上昇や暖房用熱媒の所定温度を下回る低下を抑制することができる。
【０００６】
請求項３記載の給湯暖房装置は、
調節手段が、暖房用熱交換器から暖房端末機への循環経路を分岐して、暖房用熱媒の一部を暖房端末機を通過させずに暖房用熱交換器に還流させる還流路を設け、暖房用熱媒の温度が所定温度よりも高いときは、還流路に流入する暖房用熱媒の流量を暖房用熱媒の温度が所定温度のときよりも減少させ、暖房用熱媒の温度が所定温度よりも低いときは、還流路に流入する暖房用熱媒の流量を暖房用熱媒の温度が所定温度のときよりも増大させて、暖房端末機への暖房用熱媒の供給状態を調節するように構成されているので、暖房用熱媒の温度が所定温度よりも高いときは、暖房端末機に供給される暖房用熱媒の流量が暖房用熱媒の温度が所定温度のときよりも増大して、暖房端末機における暖房用熱媒の放熱量が増大し、暖房用熱媒の温度が所定温度よりも低いときは、暖房端末機に供給される暖房用熱媒の流量が暖房用熱媒の温度が所定温度のときよりも減少して、暖房端末機における暖房用熱媒の放熱量が減少する。
従って、循環経路における単位時間当たり暖房用熱媒循環量を変更することなく簡便に、暖房用熱媒の所定温度を越えた上昇や暖房用熱媒の所定温度を下回る低下を抑制することができる。
【０００７】
請求項４記載の給湯暖房装置は、
調節手段が、還流路に流入する暖房用熱媒の流量を暖房用熱媒の温度が所定温度のときよりも減少させると、暖房用熱交換器を通過する暖房用熱媒の流量を所定温度の暖房用熱媒が供給されるときよりも増大させるので、暖房用熱媒の温度が所定温度よりも高いときは、暖房端末機に供給される暖房用熱媒の流量が一層増大して、暖房端末機における暖房用熱媒の放熱量も一層増大するとともに、暖房用熱交換器を通過する前後の暖房用熱媒の温度上昇が少なくなる。
また、還流路に流入する暖房用熱媒の流量を暖房用熱媒の温度が所定温度のときよりも増大させると、暖房用熱交換器を通過する暖房用熱媒の流量を所定温度の暖房用熱媒が供給されるときよりも減少させるので、暖房用熱媒の温度が所定温度よりも低いときは、暖房端末機に供給される暖房用熱媒の流量が一層減少して、暖房端末機における暖房用熱媒の放熱量も一層減少するとともに、暖房用熱交換器を通過する前後の暖房用熱媒の温度上昇が多くなる。
従って、暖房用熱媒の所定温度を越えた上昇や暖房用熱媒の所定温度を下回る低下を効果的に抑制することができる。
【０００８】
【発明の実施の形態】
〔第１実施形態〕
図１は給湯暖房装置のシステム構成を示し、暖房用熱交換器１と、その暖房用熱交換器１を加熱する暖房用加熱装置としてのガス燃焼式の暖房用バーナ２と、給湯用熱交換器３と、その給湯用熱交換器３を加熱する給湯用加熱装置としてのガス燃焼式の給湯用バーナ４と、暖房用熱媒としての温水を暖房用熱交換器１と浴室暖房機や床暖房機等の暖房端末機７とに亘って循環させる温水循環経路８と、給湯暖房装置の作動を制御するコントローラ５と、コントローラ５を操作するリモコン６とが設けられている。
【０００９】
前記給湯用熱交換器３には、一般家庭用の水道管に接続されて加熱用の水を供給する給水路９と、加熱後の湯を供給する給湯路１０とが接続され、給水路９と給湯路１０とが、給湯用熱交換器３を迂回する状態でバイパス路１１を介して接続され、このバイパス路１１には、給湯用熱交換器３からの湯に給水路９の水を混合させるバイパス弁１１ａが設けられている。
【００１０】
前記給水路９には、給湯用熱交換器３への入水温度を検出する入水サーミスタ９ａと、通水量を検出する水量センサ９ｂとが設けられ、給湯路１０には、給湯用熱交換器３を通過した温度を検出する釜出サーミスタ１０ａと、バイパス弁１１ａの作動によって水が混合された後の湯の温度をバイパス路１１との接続箇所よりも下流側で検出する給湯サーミスタ１０ｂとが設けられている。
【００１１】
前記暖房用熱交換器１と暖房用バーナ２及び給湯用熱交換器３と給湯用バーナ４は、燃焼用空気を供給する燃焼ファン１２を備えた一つの共通の燃焼室１３内に設けられ、元ガス供給路１４を暖房用ガス供給路２ａと給湯用ガス供給路４ａとに分岐して、暖房用バーナ２と給湯用バーナ４に接続されているとともに、元ガス供給路１４には、燃料ガスの供給を断続する元ガス電磁弁１４ａと元ガス比例弁１４ｂとが設けられ、暖房用ガス供給路２ａには暖房用バーナ２への燃料ガスの供給を断続する暖房ガス電磁弁２ｂが設けられ、給湯用ガス供給路４ａには給湯用バーナ４への燃料ガスの供給を断続する給湯ガス電磁弁４ｂが設けられ、暖房用バーナ２と給湯用バーナ４の各々には点火のためのイグナイタや着火を検出するフレームロッドなどが設けられている
【００１２】
前記温水循環経路８は、暖房用熱交換器１から暖房端末機７に温水を供給する暖房往き配管８ａと、暖房端末機７を通過した温水を暖房用熱交換器１に戻す暖房戻り配管８ｂとを設けるとともに、暖房往き配管８ａの途中箇所と暖房戻り配管８ｂの途中箇所とをバイパス配管８ｃで接続して構成されている。
【００１３】
前記暖房往き配管８ａのバイパス配管８ｃとの接続箇所よりも上流側には暖房用熱交換器１を通過した温水の釜出温度Ａを検出する暖房サーミスタ８ｄが設けられ、暖房往き配管８ａとバイパス配管８ｃとの接続箇所には、暖房用熱交換器１から供給される温水のバイパス配管８ｃ側への分配比率を電動モータＭで調節可能な水量分配弁８ｅが設けられ、暖房戻り配管８ｂのバイパス配管８ｃとの接続箇所よりも下流側には、膨張タンク８ｆと温水を循環させる循環手段としての循環ポンプＰとが設けられている。
【００１４】
従って、バイパス配管８ｃが、暖房用熱交換器１から暖房端末機７への温水循環経路８を分岐して設けられていて、循環温水の一部を暖房端末機７を通過させずに暖房用熱交換器１に還流させる還流路に構成されている。
【００１５】
図２は水量分配弁８ｅの動作特性を示し、その調節範囲の一端Ｌで、暖房用熱交換器１の単位時間当たり通水量（総温水循環量）が最も少なく、かつ、バイパス配管８ｃ側への分配比率が最も高くなり、その調節範囲の他端Ｒに近づくほど、その単位時間当たり通水量（総温水循環量）が増大するとともに、バイパス配管８ｃ側への分配比率が低くなるように設定されている。
【００１６】
図３は給湯暖房装置の制御ブロック図を示し、コントローラ５には、リモコン６と暖房端末機７と入水サーミスタ９ａと釜出サーミスタ１０ａと給湯サーミスタ１０ｂと暖房サーミスタ８ｄ及び水量センサ９ｂからの入力情報に基づいて必要な制御データを演算する演算部５ａと、給湯用バーナ４の燃焼動作を制御する給湯用燃焼制御部５ｂと、元ガス比例弁１４ｂの作動を制御して供給ガス量を調節するガス量制御部５ｃと、暖房用バーナ２の燃焼動作を制御する暖房用燃焼制御部５ｄと、水量分配弁８ｅの作動を制御して循環温水のバイパス配管８ｃ側への分配比率を調節する水量分配制御部５ｅとが設けられている。
【００１７】
前記給湯用燃焼制御部５ｂは、リモコン６からの給湯指令が入力されると給湯用バーナ４を燃焼作動させ、リモコン６からの給湯停止指令が入力されると給湯用バーナ４の燃焼作動を停止させるように制御する。
また、暖房用燃焼制御部５ｄは、暖房端末機７からの暖房指令又は液々熱交換器制御部５ｅからの暖房用バーナ燃焼指令が入力されると、暖房用バーナ２を燃焼作動させ、暖房端末機７からの暖房停止指令又は液々熱交換器制御部５ｅからの暖房用バーナ燃焼停止指令が入力されると、暖房用バーナ２の燃焼作動を停止させるように制御するとともに、燃焼作動中において暖房サーミスタ８ｃから入力された循環温水の釜出温度Ａが所定温度範囲Ｂを越えると、その釜出温度Ａが所定温度範囲Ｂになるまでその燃焼作動を停止させるように制御する。
【００１８】
前記ガス量制御部５ｃは、暖房用熱交換器１のみを加熱するときは循環温水の温度が所定温度範囲Ｂ内になるように元ガス比例弁１４ｂの開度を調節し、給湯用熱交換器３のみを加熱するときは給湯温度が目標給湯温度になるように元ガス比例弁１４ｂの開度を調節し、暖房端末機７からの暖房用バーナ２の燃焼指令とリモコン６からの給湯用バーナ４の燃焼指令とが同時に入力されていて、暖房用熱交換器１と給湯用熱交換器３の双方を同時に加熱するときは、給湯用熱交換器３による給湯温度が目標給湯温度になるように元ガス比例弁１４ｂの開度を調節して、給湯用バーナ４と暖房用バーナ２の発熱量を制御するように構成されている。
従って、ガス量制御部５ｃが、暖房用バーナ２と給湯用バーナ４の発熱量を制御する共通の発熱量制御手段に構成されている。
【００１９】
次に、水量分配制御部５ｅによる制御動作を図４のフローチャートを参照しながら説明する。
暖房端末機７から暖房指令が入力されている状態におけるリモコン６からの給湯指令の入力の有無、又は、リモコン６から給湯指令が入力されている状態における暖房端末機７からの暖房指令の有無に基づいて、暖房用熱交換器１と給湯用熱交換器３の双方を同時に加熱する状態か否かを判別し（＃１）、それらを同時に加熱する状態のときは、暖房サーミスタ８ｄの検出情報からその温水の釜出温度Ａが所定温度範囲Ｂを越えているか否かを判別し（＃２）、所定温度範囲Ｂを越えていない場合は所定温度範囲Ｂを下回っているか否かを判別する（＃４）。
【００２０】
そして、釜出温度Ａが所定温度範囲Ｂを越えている場合は、水量分配弁８ｅを、暖房用熱交換器１の通水量（総温水循環量）が現在よりも増大し、かつ、バイパス配管８ｃ側への分配比率が現在よりも低くなるように、図２で示す分配比率調節範囲のＲ側に調節して（＃３）、暖房用熱交換器１を通過する総温水循環量を増大させるとともに、暖房端末機７側への分配温水量を多くし、もって、暖房用熱交換器７に戻る温水の温度を低くして温水の釜出温度Ａを低下させるようにしてある。
【００２１】
また、釜出温度Ａが所定温度範囲Ｂを下回っている場合は、水量分配弁８ｅを、暖房用熱交換器１の通水量（総温水循環量）が現在よりも減少し、かつ、バイパス配管８ｃ側への分配比率が現在よりも高くなるように、図２で示す分配比率調節範囲のＬ側に調節して（＃５）、暖房用熱交換器１を通過する総温水循環量を減少させるとともに、暖房端末機７側への分配温水量を少なくし、もって、暖房用熱交換器７に戻る温水の温度を高くして温水の釜出温度Ａを上昇させるようにしてある。
【００２２】
従って、この水量分配制御部５ｅが、暖房用熱交換器１と給湯用熱交換器３とが同時に加熱されている状態で、暖房用熱媒としての温水の温度が所定温度よりも高いときは、バイパス配管８ｃに流入する温水の流量をその温水の温度が所定温度のときよりも減少させて、温水の暖房端末機７における単位時間当たり放熱量をその温水の温度が所定温度のときよりも増大させ、暖房用熱媒としての温水の温度が所定温度よりも低いときは、バイパス配管８ｃに流入する温水の流量をその温水の温度が所定温度のときよりも増大させて、温水の暖房端末機７における単位時間当たり放熱量をその温水の温度が所定温度のときよりも減少させるように、暖房端末機７への温水の供給状態を調節する調節手段１５に構成されている。
【００２３】
また、この水量分配制御部５ｅは、水量分配弁８ｅの動作特性に示すように、バイパス配管８ｃに流入する温水の流量をその温水の温度が所定温度のときよりも減少させると、暖房用熱交換器１を通過する温水の流量、つまり、総温水循環量を所定温度の温水が供給されるときよりも増大させ、バイパス配管８ｃに流入する温水の流量をその温水の温度が所定温度範囲Ｂのときよりも増大させると、暖房用熱交換器１を通過する温水の流量を所定温度の温水が供給されるときよりも減少させるように構成されている。
【００２４】
〔第２実施形態〕
第１実施形態において示した水量分配弁８ｅに代えて、図５に示すように、その調節範囲の全範囲において暖房用熱交換器１の単位時間当たり通水量（総温水循環量）が一定で、調節範囲の一端Ｌでバイパス配管８ｃ側への分配比率が最も高くなり、その調節範囲の他端Ｒに近づくほどバイパス配管８ｃ側への分配比率が低くなる動作特性を備えた水量分配弁８ｅを設けても良い。
【００２５】
この場合、水量分配制御部５ｅは、釜出温度Ａが所定温度範囲Ｂを越えている場合は、水量分配弁８ｅをバイパス配管８ｃ側への分配比率が現在よりも低くなるように、図５で示す分配比率調節範囲のＲ側に調節して、暖房端末機７側への分配温水量を多くし、もって、暖房用熱交換器７に戻る温水の温度を低くして温水の釜出温度Ａを低下させるとともに、釜出温度Ａが所定温度範囲Ｂを下回っている場合は、水量分配弁８ｅをバイパス配管８ｃ側への分配比率が現在よりも高くなるように、図５で示す分配比率調節範囲のＬ側に調節して、暖房端末機７側への分配温水量を少なくし、もって、暖房用熱交換器７に戻る温水の温度を高くして温水の釜出温度Ａを上昇させるように構成してある。
その他の構成は第１実施形態と同様である。
【００２６】
〔第３実施形態〕
図６は給湯暖房装置の別実施形態を示し、第１実施形態で示したバイパス配管８ｃと水量分配弁８ｅに代えて、電動モータＭで調節可能な流量調節弁８ｇを暖房往き配管８ａに設けるとともに、図７のブロック図に示すように、第１実施形態で示した水量分配制御部５ｅに代えて、この流量調節弁８ｇの調節作動を制御する流量制御部５ｆを設けて構成されている。
【００２７】
前記流量制御部５ｆによる制御動作を図８のフローチャートを参照しながら説明する。
第１実施形態で示したと同様に、暖房用熱交換器１と給湯用熱交換器３を同時に加熱する状態か否かを判別し（＃１１）、それらを同時に加熱する状態のときは、暖房サーミスタ８ｄの検出情報からその温水の釜出温度Ａが所定温度範囲Ｂを越えているか否かを判別し（＃１２）、所定温度範囲Ｂを越えていない場合は所定温度範囲Ｂを下回っているか否かを判別する（＃１４）。
【００２８】
そして、釜出温度Ａが所定温度範囲Ｂを越えている場合は、暖房用熱交換器１の通水量（温水循環量）が現在よりも増大するように流量調節弁８ｇを作動させ（＃１３）、釜出温度Ａが所定温度範囲Ｂを下回っている場合は、暖房用熱交換器１の通水量（温水循環量）が現在よりも減少するように流量調節弁８ｇを作動させる（＃１５）ように構成してある。
その他の構成は第１実施形態と同様である。
【００２９】
従って、この流量制御部５ｆが、暖房用熱交換器１と給湯用熱交換器３とが同時に加熱されている状態で、暖房用熱媒としての温水の温度が所定温度よりも高いときは、温水循環経路８における単位時間当たり温水循環量をその温水の温度が所定温度のときよりも増大させ、温水の温度が所定温度よりも低いときは、温水循環経路８における単位時間当たり温水循環量をその温水の温度が所定温度のときよりも減少させて、暖房端末機７への温水の供給状態を調節する調節手段１５に構成されている。
【００３０】
〔その他の実施形態〕
１．暖房用加熱装置としての暖房用バーナと、給湯用加熱装置としての給湯用バーナとが互いに異なる燃焼室に設けられている給湯暖房装置であっても良い。
２．暖房用加熱装置と給湯用加熱装置を一つの加熱装置で兼用するように構成されている給湯暖房装置であっても良い。
３．暖房用加熱装置と給湯用加熱装置は電気的に加熱するものであっても良く、その加熱熱源の種類は特に限定されない。
４．暖房用熱交換器と給湯用熱交換器は、例えば多数のフィンを介して互いに一体的に固定されていても良い。
５．暖房用熱媒としてはブラインであっても良い。
６．暖房端末機の種類は限定されない。
【図面の簡単な説明】
【図１】給湯暖房装置の構成図
【図２】分配比率調節範囲と温水循環量との関係を示すグラフ
【図３】ブロック図
【図４】フローチャート
【図５】第２実施形態の分配比率調節範囲と温水循環量との関係を示すグラフ
【図６】第３実施形態の給湯暖房装置の構成図
【図７】第３実施形態のブロック図
【図８】第３実施形態のフローチャート
【符号の説明】
１    暖房用熱交換器
２    暖房用加熱装置
３    給湯用熱交換器
４    給湯用加熱装置
５ｃ  発熱量制御手段
７    暖房端末機
８    循環経路
８ｃ  還流路
１５  調節手段
Ａ    暖房用熱媒の温度
Ｂ    所定温度
Ｐ    循環手段
【図１】
0003731942.tif 000002
【図２】
0003731942.tif 000003
【図３】
0003731942.tif 000004
【図４】
0003731942.tif 000005
【図５】
0003731942.tif 000006
【図６】
0003731942.tif 000007
【図７】
0003731942.tif 000008
【図８】
0003731942.tif 000009